(57)【要約】【課題】より簡略で確実に機能する耐震装置を提供すること。【解決手段】地震や強風などに伴い家屋・店舗・工場などの建物に発生する揺れを抑止するための耐震装置であって、建物の揺れが想定される構造躯体の外側に対応すべく立直して設置される躯体受材と、建物基礎自体に開口した床下換気口あるいは建物基礎上面と土台間に隙間状に形成された床下換気口を通じて設けられ少なくとも躯体受材に作用する力の伝達に応じて抵抗力を発生するアンカーとを備え、前記躯体受材とアンカーとは相互に結合されて、建物の揺れに伴い構造躯体から躯体受材に伝わる力をアンカーにおいて受担させるように構成した。【選択図】  図１
2004211520.tif 000002
【特許請求の範囲】
【請求項１】
地震や強風などに伴い家屋・店舗・工場などの建物に発生する揺れを抑止するための耐震装置であって、建物の揺れが想定される構造躯体の外側に対応すべく立直状に設置される躯体受材と、建物基礎自体に開口した床下換気口あるいは建物基礎上面と土台間に隙間状に形成された床下換気口を通じて設けられ少なくとも前記躯体受材に作用する力からの伝達力に応じて抵抗力を発生するアンカーとを備え、前記躯体受材とアンカーとは相互に結合されて、建物の揺れに伴い構造躯体から躯体受材に伝わる力をアンカーにおいて受担させるように構成したことを特徴とする耐震装置。
【請求項２】
地震や強風などに伴い家屋・店舗・工場などの建物に発生する揺れを抑止するための耐震装置を施工する方法であって、建物の揺れが想定される構造躯体の外側に対応すべく立直状に躯体受材を設置する工程と、建物基礎自体に開口した床下換気口あるいは建物基礎上面と土台間に隙間状に形成された床下換気口を通じて少なくとも躯体受材に作用する力からの伝達力に応じて抵抗力を発生するアンカーを設ける工程と、前記躯体受材とアンカーとを相互に結合する工程とを有する耐震装置の施工方法。
【請求項３】
請求項１に記載のものにおいて、構造躯体と躯体受材との間ならびにアンカーと床下換気口間を含む、躯体受材からアンカーに到る間に緩衝手段を備える耐震装置。
【請求項４】
請求項１に記載のものにおいて、アンカーは、床下換気口を構成する部材そのものに固定化されるものである耐震装置。
【請求項５】
請求項１に記載のものにおいて、アンカーは、雄ねじ付ロッドやパイプ、あるいはアングル材などの長い部材であって床下地盤に深く挿入固定されてその地盤から出た部分が躯体受材側に直接あるいは他の部材を介して間接的に結合されるようになっている耐震装置。
【請求項６】
請求項１または５に記載のものにおいて、アンカーは、床下地盤上に設置されてコンクリート流し込みや鉄屑投入などによる重量物により押さえ付けられて固定化されるようになっている耐震装置。
【請求項７】
地震や強風などに伴い家屋・店舗・工場などの建物に発生する揺れを抑止するための耐震装置であって、特定階とそれより上の階とをつなぐ階段に構成された既設の部材相互を耐震補強部材で連結して階段を１つの抵抗構造体として新たに構築する耐震装置の施工方法。
【発明の詳細な説明】
【０００１】
【産業上の利用分野】
この発明は、耐震装置ならびにその施工方法に関する。
【０００２】
【従来の技術】
最近建設の木造住宅などは、阪神淡路大震災の教訓から十分な耐震構造になっているが、特に昭和５６年以前に建てた建物は地震に対し非常に脆い構造になっている。それ以降に建築の建物も一定以上の高い震度であれば危険である。そのため、物理的な対抗措置が採られ、その一つとして、基礎に下受金具をボルト止めしておき、この下受金具に緩衝手段を介して上向きに長く伸びる上受金具（躯体受材に相当）を建て付けてこれも柱にボルト止めすることで、縦揺れや横揺れ時に柱から伝わる力を上受金具で受け入れ、緩衝作用をもって下受金具（基礎）で受け止めることで対処するようにしたものがある。
【０００３】
【発明が解決しようとする課題】
こうした方式は各種提案されている。登録実用新案第３０５８８８８号、登録実用新案第３０４６７００号、特願平１０−７３５６０号、および特願２０００−１２２８３２などである。例えば、登録実用新案第３０５８８８８号では、「基礎部固定部材２０と躯体固定部材３０とを有し、前記基礎部固定部材２０と前記躯体固定部材３０との夫々が垂直方向および水平方向への相対移動を許容させる状態となるように組み合わされて基礎部固定部材２０と躯体固定部材３０との間に緩衝部材収納室３５を形成し、該収納室３５内に挟持挿入される弾性緩衝部材４０を備える。また、躯体固定部材３０の下方には、土台固定板部３１Ｂを延設する」というものである。いずれも基礎や柱に通孔をドリリングで穿ちこれら通孔を利用して外部から上下受金具をボルト止めするといったものである。これらの方式では、下受金具のボルト通孔に合致するようにコンクリート基礎の特定個所に複数個の孔明けをし、柱に上受金具を止め付けるため柱の縦方向に添って複数のボルト孔を金具孔に合致するように明けなければならない。これらの施工は、一見簡単そうであるが、実際には素人では施工が殆ど困難で、専門施工請負人に任せなければ到底できるものではない。こうした専門施工請負人に仕事を任せると、特殊工事であることからいきなり施工費が高くつくことになるだけでなく施工日数もかかり、こうしたことから現在のところ施工戸数は非常に少なく普及していない。これでは数多くの人を助けることができない。
【０００４】
この発明は前記課題を解決するためになされたもので、その目的とするところは、より簡略で確実に機能する安価な耐震装置ならびにその施工方法を提供することにある。
【０００５】
【課題を解決するための手段】
こうした課題を解決するため、前記請求項１乃至７記載のごとく構成した。
【０００６】
【発明の実施の形態】
以下、図示した実施形態を参照してこの発明を詳細に説明する。
図１は、この発明の好適な実施形態を示すもので、１はコンクリート基礎で、布基礎その他の基礎である。基礎１には、補強のための内部配筋が施されるとともにアンカーボルトにより土台が固定されている。土台を介して破線で示す柱２…（通し柱などの柱や間柱など）が立設され、下地張りや木ずり、アスファルトフェルト、ワイヤラスなどが外壁構成のために施工されている。これらの施工態様には周知のように種々のものがある。外壁８は、基礎１の外面よりも少し出た外面をもつ。尚、図１の３は和室のガラス戸、４は雨戸、５は雨戸枠、６は縦樋で、縦樋６は、出隅部７から少し離れたところを垂直に通されている。この家屋は平成２年前後に建てられたもので、図では揺れに弱いと算定した和室側からみた様子を示す。この発明では昭和５６年以前あるいはそれ以後の家屋の全てを対象とする。同家屋の出隅部７内に柱（躯体の要部）２が通し柱あるいは準通し柱として通されている。尚、家屋の前記出隅部７とは対角線上となる側にも以下の耐震装置が設置されてもよい。
【０００７】
１０は躯体受材で、中央支柱１１・端部支柱１２および上下渡し１３でアングル形に耐震専用として十分な強度をもって構築され、これらの枠内に斜材である内補強材１４を組み付けて装飾性も加味したラティス構造とされている。この躯体受材１０は、木材あるいは金属質よりなるラティスであり、樹脂やゴムなど他の材料を使っても良い。特に、樹脂（透明質や柄付きも含む）や金属、ゴムなどで一体成形したラティスを用いて量産すると安価な耐震装置を提供できる。
一方、ラティス枠体は、ボルトナット等の止着具による相互結合かブラケットを介する止着具による相互結合などによることができる（軸着方式）。内補強材１４の枠体への結合も同様の軸着方式を採ることができる。こうした軸着方式によると、軸着部分が１つの緩衝手段となる。
内補強材１４に代えて他の内枠補強構造（正格子状や斜め１本補強式、Ｘ形補強式など）を全て採用可能である。また、２枚のラティスをアングル形に結合したものでもよい。この場合、２枚のラティスを折り畳み可能にヒンジで連結しておいて搬送可能にしそれをＬ形に開いて図１のようにセットするようにしてもよく、開いた時はＬ形に保つため、ロック手段（アングル形ブラケットやピンなど）で使用することができる。ロック手段なしでもよい。
【０００８】
この躯体受材１０は、底部に高さアジャスタを複数点に配備して高さ調節可能にし、その裏面には、内柱２および基礎１に対応する個所ならびに家屋外壁や基礎の他の当る個所に対応して、合成ゴム（シリコンゴムを含む）やαＧＥＬ防振材（（株）ジェルテック製）、テンピュール（スェーデン・ファゲダーラ社製）などの緩衝手段１６…を取り付けてある。緩衝手段１６は、合成ゴムとαＧＥＬ防振材を積層することもあり、シリコンシーラント（商品名）などの接着を兼ねた緩衝手段を併せてまたは単独で使用することもできる。緩衝手段１６には、木材片、金属板、粘液剤入りパッドなどのようにエネルギーを反発少なくして圧潰などにより吸収するものも含まれる。圧潰と弾性作用をするものを組み合わせることもできる。
以上緩衝手段のことは後述する実施形態で同様に適用できる。
【０００９】
尚、図示した緩衝手段１６は、少し高いブロック状にしてあって躯体受材１０を家屋外面から少し離して、既設の縦樋６や雨戸枠５などに干渉せずその外側に躯体受材１０がくるように設置する役目もある。また、緩衝手段１６は、中央支柱１１下端と基礎１間および端部支柱１２下端と基礎１間にも配備されている。只、これらの緩衝手段１６は上部の緩衝手段１６よりも家屋の向きに厚目のものにする。これは基礎１が外壁８よりも一般的に少し（１乃至３ｃｍ前後）引っ込んだ状態にある（図３３の断面図を参照）。これら緩衝手段１６は、上下に亘る長いものでもよい。一方、こうした緩衝手段１６を全く設けないで躯体受材１０を外壁に直接（少しの隙間をおいてもよい）当て付ける方式またはシリコンシーラントなどの接着剤を介して当て付ける方式でもよい。
【００１０】
前記躯体受材１０の表面全体あるいは一部には、苔色や黒色など（あらゆる色を選択可能）の植毛を付すことができる。表側から観える個所のみに植毛を施してもよい。この植毛は専用の植毛機でする場合と植毛付き粘着シートの貼り付けによる場合とがある。この植毛は、以下のいずれの部材にも適用できる。室内装飾用ラティス、エクステリアウッドデッキ（ラティス以外も含む）その他にも適用できる。躯体受材１０は仮想線のように幅の大きなものにして他の柱２，２にも耐震効果が及ぶようにしてもよい。さらに、躯体受材１０は、図示より高いものにしてもよい。場合によっては２階迄伸びてもよい。
【００１１】
躯体受材１０の下部両端からは基礎１の外面における上段高さを通るように連結材１８が水平に伸びて設けられている。連結材１８は基材１９と長さ調節材２０からなり、基材１９は、四角パイプ（丸パイプやアングル材、溝形材、帯板材などでもよい）でなって躯体受材１０に溶接一体化する（図の左側のやり方）か躯体受材１０側に連結材１８を折り畳み可能にする（図の右側のやり方）ため１本あるいは複数本の軸２１で結合される。基材１９は、躯体受材１０の各幅内まで延長し固定してもよい。長さ調節材２０は同じく四角パイプでなって基材１９の先端内に進退自在に挿入されて適当なところで止め具２２で伸縮しないようにロック可能とされている。躯体受材１０と折り畳み可能な連結材１８およびアンカーＡ等で１つの耐震装置セットとして販売できるようにしてもよい。
【００１２】
連結材１８は１本ものとし、躯体受材１０側に備えたスライド受（コの字枠など）に基部をスライドさせることで同連結材１８の長さ調節を可能にしてもよい。この連結材１８には、仮想線のように、その上面に花壇用架台である第１付加材２４を装備したり前面に延長ラティスである第２付加材２５を装置して連結材１８を隠すようにしてもよい。第１付加材２４は重量物入れであってもよい。例えば、強度のある大きなプランターを連結材１８に結合し同プランター内に重量物（鉄屑やコンクリート、土砂、岩塊、水など）また、仮想線のように、躯体受材１０の中段や上段と連結材１８間には斜材やＬ形枠材あるいはターンバックルである連結補強材２７を連結してもよい。
【００１３】
施工に先立って床下換気口３０内の既設換気口板３１を必要な工具、例えば、ドリルやジグソーなど家庭用工具で簡単に除去できる。そして、図１の床下換気口３０に●印を付したようにアンカーＡを施工する。このアンカーＡの１例は図示のように連結材１８の端部に固定した四角枠を介して各床下換気口３０，３０に外部から挿入される止め板３３付きの長い部材３２とし、止め板３３を連結材１８に結合する方式にしてもよい。部材（ゴム太ロッド状でもよい）３２は図の右の床下換気口３０にも挿入固定されるので、両者が直角の関係になって図の手前方向に地震による力が作用してもそのままでは容易に抜け出ないものである。部材３２は、床下換気口３０の連結材１８寄りに当たるように長さ調節材２０で調節する。床下換気口３０と部材３２間には緩衝手段を介装可能である。耐震装置を構成したあとは、床下換気口３０に新規換気口板（図示省略）を装着しておく。
こうした耐震装置は煩雑で手間の掛かるものでなくセットとしてもホームセンターなどで提供できるものであるから、そのセットを購入して家屋の弱い側に容易にセッテイングすることができる。勿論全てあるいは一部の作業を業者に依頼してもよい。尚、縦樋６が施工の邪魔であれば、必要な長さをカットしその間を蛇腹管（ベローズ）で後つなぎしてもよいし、躯体受材１０自体を管路構造にしたり躯体受材１０に添った管路を通じて雨水を流すようにしてもよい。
これまでに述べたことは以下の実施形態において全て適用可能である。尚、アンカーＡの詳細は後述する。
【００１４】
図２の実施形態は、躯体受材３５がアングル形をしていてその内面に緩衝手段３６…を配備するものである。緩衝手段３６は前記シリコンシーラントなどでもよい。この躯体受材３５はそれぞれ自体内柱３７や土台（右図）３９に止着具３８…で連結することができる。特に、右図のように内柱３７の下端からその土台３９へと螺入固定されるように躯体受材３５から斜め下向きに止着具３８を打設すると内柱３７の上方への抜けをも防止可能である。４０は止め具４１付き連結材で躯体受材３５に一体であるが軸止め可能である。Ａはアンカー、４２は新規換気口板、４３は連結補強材であり、こうした耐震装置にラティス４４を補強体として又は装飾兼装置隠し体として付設できる。
【００１５】
図３の実施形態は、躯体受材４６がＬ形アングルであるが、連結材４７が、ターンバックル４８付きリンクチェーン（あるいは各種ロープやプレートチェーン４９などでもよい）でなる。５０は連結補強材、５１は新規換気口板である。リンクチェーン４９はアンカーＡに連結される。図２、図３の実施形態において縦樋６は一部をカットして躯体受材３５，４６自体に形成した管路あるいは受材３５，４６に付設した管に蛇腹で連通させる構造にしてもよい。
【００１６】
図４から図１６までは、耐震装置の連結材（長さ調節材）端部を床下換気口３０を介して基礎１側に固定するようにした各種アンカー方式についての実施形態を示す。耐震装置の本体構造は上記実施形態のものあるいはそれ以外でもよい。図４、図５の実施形態における止め具５３付き連結材５４は、その端部の長さ調節材５５にアングル状のアンカーＡを直角一方向に伸びるように備える。このアンカーＡは、床下換気口３０の手前側とその上の土台に当るのであるが、これらの個所には、地震発生時に連結材５４を通じて土台持ち上げ力と床下換気口３０手前方向力（図の左方向）への引っ張り力が共働するのであり、そのことからアンカーＡにはそれに対応する個所に緩衝手段５６を貼り付けてある。図５の矢印のように、アンカーＡを床下換気口３０内に入れるとともに長さ調節材５５を基材５６内に挿入しながら緩衝手段５６が床下換気口３０の手前側の上隅に当るようにしてのち、止め具５３でこれらの関係をロックする。アンカーＡは、四角、丸パイプなどあらゆる部材を使用可能である。尚、５７は新規換気口板で、切欠５８が長さ調節材５５回りに合致する。５９は長孔６０により前後に移動調節可能なボルトナット製の抜け阻止材で、外周に緩衝手段６１を備えてもよい。抜け阻止材５９は図４のようにセットしたあと、基礎１の裏面に当るように調節されたあとロックされる。この実施形態および以下の実施形態においては、連結材を２段階で伸縮式にしてあるが、連結材を１本ものにしこれを躯体受材側に移動調節自在にしてもよい。
【００１７】
図６の実施形態における連結材６３は、長さ調節材６４の端部にアングル他で形成できるアンカーＡを斜め内向きに突設し、その回りに緩衝手段６５を備え付けたものになっている。アンカーＡを床下換気口３０に入れながら長さ調節材６４を基材６６に挿入し、床下換気口３０の奥隅角に緩衝手段６５が当るようにしてのち止め具６７でロックするものである。アンカーＡが床下換気口３０の奥隅に斜めに当ることで１つのアンカーＡで連結材６３の抜け止めをもする。緩衝手段６５は土台にも当る。
６８は補強板である。アンカーＡはロック軸で連結材６３側にロックしてもよい。
【００１８】
図７の実施形態における連結材７０の長さ調節材７１には、裏ナット７２が溶接固定され、同ナット７２には、ボルトナット７３が取り付けられ、これらを介して当て部材７４と裏当て部材７５が共締めされている。これら部材７４，７５は、金属、樹脂、あるいは木材やゴムでもよい。７２〜７５でアンカーＡが構成されている。ボルトナット７３により裏当て部材７５が基礎１の裏面に当て付けられる。裏当て部材７５は上向きにして土台に当るようにしてもよい。
【００１９】
図８の実施形態における連結材７７の長さ調節材７８は、幅の小さいアングルなどの基板７９を介して上向きに曲がり幅のあるアングル形係合板８０を取り付け、その上に緩衝手段８１を装着して、係合板８０が土台８２に引っ掛かるようにしてある。力は上向きに作用するので他の固定は必要ないが、ここでは、係合板８０を土台８２に固定する止め具８３…を併せて構成してある。
【００２０】
図９の実施形態における連結材８５の長さ調節材８６は、溝形のアンカーＡを備え、緩衝手段８７を介して止め具８８で土台８９に固定するようにしたものである。この場合、既設換気口板９０をそのままで施工できる。
【００２１】
図１０の実施形態における耐震装置は、収納庫９２自体を極く剛強な耐震枠組み構造とし、上からみて一体アングル形にしたもので、９３は骨組、９４は外装、９５は開閉戸（仮想線のようにラティスでもよい）を示し、この収納庫９２内に必要なものを収納するとか敢えて重量物（コンクリートや鉄屑、水入りタンク、土砂や岩塊など）を入れて重量化しておくこともできる。重量化することは図１１，図１２においても適用できる。同収納庫９２の裏側に連結用の骨組９６を備えてこれに連結材９７を長さ調節自在に連結するようにしたものである。アンカーＡは前述および後述するいずれの方式も採用可能である。尚、収納庫は骨組なしの板組構造でもよい。
【００２２】
図１１の収納庫９９は、一般的な六面式の耐震型収納庫９９を一側面に配置して連結材１００でアンカーＡに結合し、他側面には各種採用可能な連結材（ここではターンバックル式）１０１でアンカーＡに結合し、これら９９，１０１を躯体受材１０２で結合したものである。アンカーＡは、前記したもののほか、後述するいかなる方式も採用できるものとする。
【００２３】
図１２の実施形態は、収納庫１０５が六面式の耐震型とされ、これら１対を躯体受材１０６で連結して両側に配備し、連結材１０７とアンカーＡで設置固定するようにしたもので、躯体受材１０６は連結の役目のみとし、１対の収納庫１０５にその役目を兼用させてもよい。図１１、図１２のアンカーＡは、床下換気口３０を通り基礎裏面に引っ掛かるタイプ（実線）と、真っ直ぐに挿入されるタイプ（仮想線）とがあるが、他の実施形態のものも全て適用され得る。１０８は緩衝手段である。なお、図１０〜図１２において、収納庫９２，９９，１０５は対応する地盤に固定化することができる。
【００２４】
図１３（横断平面図）は、連結材１２０の長さ調節材１２１端部にアンカー基枠１２２を介してＬ形アンカーＡを取り付け、同アンカーＡを床下換気口３０を通じて同口３０の裏面に支承させるもので、アンカーＡは仮想線のように斜め姿勢で同口３０内に入れ、先端のアジャスタ１２４を口３０の裏面に当てるようにしながら基枠１２２を長さ調節材１２１に嵌め込んでセットする。アジャスタ１２４を調節して基枠１２２の緩衝手段１２５を基礎１面に当てるように位置調整する。アジャスタ１２４は緩衝手段１２５を介する。１２６はロックボルト、１２７は新規換気口板。アンカーＡと床下換気口３０間には緩衝手段をさらに介装する。
【００２５】
図１４は、基枠１２９を介するアンカーＡがコの字形で床下換気口３０の手前裏面にアジャスタ１３０が当て付けられ締め付けるようにしてある。１３１は緩衝手段、１３３は新規換気口板で、アンカーＡと床下換気口３０間にも緩衝手段を入れることができる。アジャスタ１３０は外側に配置することもある。
【００２６】
図１５は、金属、樹脂、ゴム等の芯棒１３３の外周に１対の緩衝手段１３４を付けてアンカーＡとしたもので、このアンカーＡの軸上間にリンクチェーン、ロープ等の連結材１３５を掛け回して躯体受材側に連結するものである。既設換気口板１３６は撤去し、仮想線のように連結材１３５を縦向きにして床下換気口３０に入れたあと緩衝手段１３４が床下換気口３０の裏側にくるようにしてアンカーＡをセットする。連結材１３５はターンバックル付きでもよい。躯体受材側に通し枠を付し、同枠に連結材１３５を移動自在に通してボルトで移動ロックしてもよい。１３７は切欠（連結材１３５の通し口）つき新規換気口板であとでセットされる。アンカーＡのセット方向は縦軸状、斜軸状でもよい。アンカーＡは緩衝手段１３４なしのこともある。アンカーＡはＬ形など屈曲状など床下換気口３０から入れることができて基礎裏面に安定して引っ掛かるものであれば他の形状でもよい。尚、図外の欄には、耐震装置の他の例の全体が示され、１３８はアジャスタで上下高さ調節可能な躯体受材で、その裏面に緩衝手段１３８ａを有して受材１３８それ自体が自立してコーナー面に取り付けできるように屋外用接着剤などで固着される。この受材１３８の下部の掛止部１３９に掛止されるようにして連結材１３５が通されているとともに、同連結材１３５の両端のアンカーＡを床下換気口３０から基礎裏にくるようにセットしてのち、ターンバックル４８の牽き操作で両アンカーＡががっちりと基礎裏に固定されかつ連結材１３５も牽かれて躯体受材１３８も固着される。１４６は斜め連結材（リンクチェーンや他のいかなる材料でもよい）で、これを省略してもよい。また、連結材１３５は、複数併設式にしてもよい。前記連結材１３５などは角筒あるいは丸筒状のゴム質等のカバーで隠すこともできる。躯体受材１３８も同様に外部カバーで納めることができる。カバーの材質は問わないがゴム質など弾性質のものにすれば、連結材１３５と基礎１との間において緩衝作用を発揮する。前記連結材１４０は十分長くしてあるが、例えば、下側の図のように、アンカーＡを止めたリンクチェーンｂ１とターンバックルａと他のリンクチェーンｂ２とで構成し、アンカーＡを床下換気口３０内にセットしたのちチェーンｂ２を掛止部１３９に掛け回してその折り返し部分を止着具ｃで止めることで長さ調節自在にしてもよい。掛止部１３９に代えて躯体受材１３８に縦長孔を形成してその孔を通じてチェーンｂ２を掛け回してもよい。尚、他側は図示省略してある。躯体受材１３８は高さ調節自在にしておく。リンクチェーンはワイヤーなどのロープにしてもよい。躯体受材４６から床下換気口３０までの長さは家屋により様々で、連結材１３５を十分長くしておいて芯棒１３３に巻いて折り返して止める位置（図１５の右図のＬ点）を調節して長さ調節可能にしてもよい。こうすれば床下換気口３０までの長さが長短いずれでも対応でき、セット販売しても各自で簡単に施工できる。
【００２７】
図１６、図１７は、躯体受材側から伸びる連結材１４０の端部のアンカーＡを床下換気口３０内に差し込み緩衝手段１４１で土台１４２に受承させるとともに、連結材１４０を床下換気口３０よりも延設しそこに金属、ＦＲＰなどでなる蓋つき収納ボックス１４３を接地（浮かせてもよい）状態で装着しその中に重量物１４４…を入れるようにしたものである。重量物１４４はコンクリート、鉄屑、土砂、石、岩塊などから選ぶ。収納ボックス１４３無しで全体をコンクリートブロックとしてもよい。重量物１４４は数個適宜に引っ掛けなどで追加可能にしてもよい。図１７の仮想線のように花壇１４５を重量物として連結材１４０上に構成でき、この場合、土壌が重量物になる。重量物１４４のみ、花壇１４５のみ、これらの組み合わせが可能である。
【００２８】
図１８、図１９は、別の実施形態で、躯体受材から伸びた連結材１４７の長さ調節材１４８の端部に、床下換気口３０を通じて床下地盤１４９内に斜め打ち込み（螺入も可能）されたアンカーＡを連結し躯体受材−連結材１４７−アンカーＡが全体として１つの耐震構造体として独立機能するようにしたものである。すなわち、既設換気口板を撤去後、床下換気口３０を通じてネジテツコン、ステンレスネジロッドなどのアンカーＡを床下地盤１４９内打ち込んで固定し、同アンカーＡの上端に取り付けた連結ナット１５０の受リング１５１に長さ調節材１４８を差し込んでナット１５２で連結したものである。１５３は新規換気口板、１５４は緩衝手段である。尚、図２０のように、長さ調節材１４８の端部ナット１５５にボルト１５６を利用して受リング１５０を連結してもよい。受リング１５０には球面軸受１５７を構成して向き調整可能にしてもよい。
【００２９】
図１８乃至図２０の実施形態において、地盤１４９内に床下換気口３０から予めスクリューオーガで孔明けをしてのち該孔に同孔より少し大径のロッド（オネジ付きも含む）やパイプなどのアンカーＡを突っ込み固定可能にしてもよい（このことは他の実施形態でも同様に適用することがある）。オーガ自体をそのまま固定してそれをアンカーＡにすることもある。アンカーＡは複数本でもよく、それらの互いは平行でなく内向きに開いたりしてもよい（このことは他の実施形態でも同様に適用することがある）。
【００３０】
図２１は、連結材１５９の長さ調節材１６０の端部にアングル型のアンカーブラケット１６１を固着し、それに斜め下向きのナット１６２を固着して同ナット１６２に外部から長ボルトあるいはネジテツコンなどのアンカーＡを螺入することで床下地盤内にねじ込むものである。あとでロックナットをアンカーＡに螺着することができる。尚、連結材１５９は丸パイプでなって長さ調節材１６０を回すことでロックボルト１６３を止め付けることで適切な向きに固定することができるものになっている（このことは他の実施形態でも同様に適用することがある）が、図２２のような角パイプやアングルなどで構成してもよい。１６４はインパクトドライバー（電動式や油圧駆動式、エアー駆動式など）であるが、手回し式や振動打ち込み機（このことは他の実施形態でも同様に適用することがある）でもよい。また、１６５は円筒状の緩衝手段である。
【００３１】
図２２は、連結材１６８の長さ調節材１６９端部にナット１７０付きアンカーブラケット１７１を向き調節自在に止め着け、そのナット１７０にアンカーＡをねじ込むようにした。１７２は緩衝手段、１７３は連結材用の緩衝手段である。既設の換気口板を撤去して前記施工後に新規換気口板を付すことは図１８〜図２２の実施形態において共通にいえる。
【００３２】
図２３、図２４は、既設の換気口板を撤去したあと、特殊な新規換気口板兼用のアンカーガイド１７６を仮止めあるいは本止めすることで同ガイド１７６の凹み１７７に固着した斜め方向のガイドめねじ１７８を介してネジテツコンあるいはネジボルトなどのアンカーＡをねじ込んでこれを床下地盤中にねじ込み固定する方式を示す。１７９はロックナット、１８０は止着具で、こうして固定されたガイド１７６には受部１８１内に連結材１８２が挿着される。図２４の図外に示すようにガイドめねじ（図のようにストレートパイプでもよい）１７８とアンカーＡとの間にモルタルや樹脂固着剤などの固結剤１８３を充填してもよい。ガイド１７６の仮あるいは本固定は図２４の仮想線のようにガイド１７６の裏面に突出固定したガイドパイプ１８４に表から進退自在に挿入されたロッド１８５の先端の引き手１８６を基礎裏に引っ掛かるようにしあとでナット１８７で引っ張りながらロックするようにしてもよい。これらロッド１８５などはアンカーＡを施工後に緩めて矢印のように床下方向に落としておく。
【００３３】
図２５は他の実施形態で、既設換気口板を撤去後、躯体受材（他の実施形態を適用する）に連結された水平方向の連結材（丸パイプ式も可能）１９０の床下換気口３０の開口外部近くまで伸びた端部に、床下換気口３０を通る第１補助連結材１９１を固定し、同連結材１９１の内端に回転ロック手段を備えた軸１９２を介して回転自在に第２補助連結材１９３を取り付けるとともに、床下地盤１９４上には、側面Ｌ形をなすリフトフォーク状のアンカーＡを床下換気口３０を通じて導入設置して、同アンカーＡの立ち上がる筒部内に第２補助連結材１９３をあとから差し込んでロックボルト１９４で外部から連結固定するようにしてある。第１、第２補助連結材１９１，１９３は第１補助連結材１９１が床下換気口３０の開口内下面に添うようにして前記ロック手段で連結固定される。軸１９２回りには投入用ローラー１９５を設けてもよく、同ローラー１９５を介して鉄板や鉄棒などのような重量物１９６…を次々にアンカーＡ上に投入積載してゆきアンカーＡをＷ−１のように押さえ込む。アンカーＡ、第２、第１補助連結材１９３，１９１および連結材１９０さらに躯体受材は基礎１側に関係なく１つの耐震構造体を構成し、アンカーＡ上の重量物Ｗ−１によって固定されることで基礎破壊などがあっても独自に耐震作用を発揮する。１９７は多孔状のゴムなどによる新規換気口板で耐震装置に上向きに働く力を緩衝作用をもって吸収するように嵌め込まれている。
【００３４】
重量物Ｗ−１には、同図（Ａ）のＷ−１Ａのような水などの液体（比重の大きいゲル・ゾル状のものでもよい）入りバッグ（拡縮式）で、バッグを折り畳んで床下換気口３０から床下に導入してのち矢印のように外部から液体を注入するようにしてもよい。バッグは液体入りの複数個にして順次投入してもよい。（Ｂ）のＷ−１Ｂのように岩石・コンクリート塊・コンクリート廃塊・鉄屑・リンクチェーンなどを投入してもよい。（Ｃ）のＷ−１Ｃのように生コンやモルタル、土砂などを投入シュート１９９やスクリューコンベアなどで投入するようにしてもよい。（Ｄ）のＷ−１ＤのようにアンカーＡを斜めシュートを備えたものにし同アンカーＡの床下換気口３０から突出する端部に丸パイプ状の端部パイプ２００を備えて同じく丸パイプ状とした連結材２０１に回転自在で止着具２０２で連結固定可能にしてもよい。Ｗ−１Ｄは、前記投入物のいずれでもよい。（Ｅ）のように床板を剥がしたり穴明けしてアンカーＡを終アンカー２０３で固定し、さらに重量物２０４を投入するようにしてもよい。また、矢印Ｚのように前記アンカーＡ上に床上から重量物を投入する（床に明けた穴から投入してもよい）ようにしてもよい。さらに、図２５に仮想線で示すように連結材１９０に重量物（重量物それ自体がコンクリートや鉄塊などである場合と収納ケース内に重量物を入れる方式や花壇プランター内に土壌などの重量物を入れる方式を採用可能）Ｗ−２を付加してもよい。前記収納ケースはそれ自体を重量化してもよい。尚、躯体受材から連結材までの構造は、他の実施形態の方式のいずれをも適用できる（このことは他の実施形態でも同様にいえる）。
【００３５】
図２６は、土台２０８の下の基礎１に床下換気口３０を明け土台２０８や大梁２０９および根太２１０を介して床板２１１を張ったものにおいて、和室の場合は畳上げをし洋室の場合は幅木を外すなどして矢印Ｕのように床板２１１を外して２本（本数は何本でもよい）のアンカーＡを床下地盤２１２に垂直あるいは斜めなどに打ち込み（ねじ込んでもよい）固定し、これらアンカーＡに１対の内外連結材２１３を固定して床下換気口３０から外部に取り出し、その端部に連結材２１４を連結したものである。アンカーＡはアングルや四角パイプなど種々の資材を利用できる。床下地盤２１２上にはコンクリートや土砂など図２５のような方式で上から重量物を投入してアンカーＡをさらに固着してもよい。
【００３６】
図２７は、床下地盤２１７にアンカーＡを打ち込んで内外連結材２１８を固定する場合に、床板２１９を綺麗な丸形あるいは適当な形状にジグソー２２０などで穴明けして取り出した板２２１を全くその向きのまま穴２２２に嵌め合わせるようにした施工方法を示す。板２２１は接着可能である。
【００３７】
図２８は、家屋のコーナー以外での内柱の受け方式を示す。２枚のラティス製の躯体受材２２５の各一側端にアングル形の差込片２２６を備え付けておき、これら差込片２２６を床下換気口３０内に矢印のように嵌め込むとともに２枚の躯体受材２２５を上・下連結材２２７、２２８により一体化したものである。２２９は緩衝手段である。前記差込片２２６は、躯体受材２３５に対し家屋の内外方向へ進退調節自在にし、差込片２２６が基礎１の裏面にきっちりと当るようにする。
【００３８】
図２９は、外壁２３２にシリコーンなどの接着剤２３３を介して平滑板２３４を貼り付け、同板２３４に躯体受材２３５側の吸盤２３６…を吸着させるようにしてエアーと吸盤のもつ弾性により緩衝式に受担させるものを示す。
【００３９】
図３０は、図２５の実施形態において重量物２３８…を丸形コンクリートやモルタル成形品としたり、袋２３９内に土砂などを入れて丸くしたもの（シリコン混着可能）にし、床下換気口から差し込まれる傾斜ガイド２４０上を転動により投入可能にしたものを示す。重量物２３８は立体多角形でもよい。
【００４０】
図３１ないし図３５は既設階段構造の耐震補強方法の各実施形態を示し、同時に耐震補強装置をも示す。階段部分は、１階から２階へとつながる構造部分であり、そのことからここを耐震補強することで建物全体が上下にわたって有効確実に耐震補強されるものである。尚、以下の耐震補強材は金属や木材など材質は問わない。
図３１の実施形態において既設の階段構造をまず説明すると、２５０は１階床板、２５１は側桁、２５２はけこみ板（蹴込み板）、２５３は踏み板、２５４は側壁である。側壁２５４内の側柱は、階段の１階入口の左右に１対Ｉ，Ｉと６段上がった階段部分の左右にも１対ＩＩ、ＩＩが立設されている。図３４は２階に上がったところからみた様子を示し、階段の折り返し部分にも両コーナーとその間１本の合計３本の側柱ＩＩＩ、ＩＩＩ、ＩＩＩが、またそれより上がるに右手に側柱ＩＶ，Ｖが立設配備されている。図３４の側柱ＩＩＩ…のうち右端のものは通し柱に準ずる柱とされている。
【００４１】
側桁２５１は、側柱Ｉ〜Ｖの内側に添って斜めに立ち上がるように連続して設けられ、その幅は３００ｍｍで厚みは３０ｍｍ程度である。この側桁２５１は欠込み溝を有して踏み板２５３…やけこみ板２５２…が嵌め込み固定されている。左右両側桁２５１同士は開き止めボルト（図示省略）で連結される場合と旧来のように側桁２５１と踏み板２５３を裏面から楔止めするような場合とがあり様々である。また、側桁２５１と側柱Ｉ〜Ｖとは連結されているがその結合状態は激しい地震に耐えられることを想定した厳正なものになっていないのが通例である。
【００４２】
そこで、同実施形態のように、側柱ＩからＩＩ間（左側）ならびに側柱ＩからＩＩを経てＩＩＩ間（右側）をつなぎ手摺りも同時に兼ねるように斜行材（耐震補強部材）２５６，２５７を配し、これを止着具（アンカーボルトなど）２５８で側柱Ｉ，ＩＩ，ＩＩＩに連結固定してある。この場合は、補強支柱２５９…と連結板２６０…により階段（側桁）側と側柱Ｉ，ＩＩ，ＩＩＩと斜行材２５６，２５７などを全て一体化すべく耐震補強してなる。尚、階段の更に上段の方にも同様の構成をすることができる。また、仮想線のように側柱ＩからＩＩを経てＩＩＩまで３本の側柱を１つの斜行材２６１でまとめて耐震補強することもできる。さらに、他の仮想線のように３面（あるいは２面）互いに直交する板面を備えた一体型の補強ピース（耐震補強部材）２６３…を各段あるいは所望段に配備して止着具２５８…により階段構成部材相互を連結するようにしてもよい。右図のように階段状の部分と側面立ち上がり部分とでなる補強ピース２６４で階段を耐震補強してもよい。同ピース２６４は仮想線のように上下の端部同士が重ね合わさるようにしてもよい。ピースは、斜行材２５６などの補強構造とは独立して構成することもできる。ピースは側柱に連結してもよい。斜行材２５６、２５７のまわりには手摺りを付すこともできる。
【００４３】
図３２の実施形態は、斜行材２５６，２５７を構成するとともにその下端に、床板２５０から立ち上がる金属質の支柱（耐震補強材）２６５の上端と止着具（アンカーボルトなど）２５８で側柱Ｉまで共締めされるように連結されている。支柱２６５はアングルでその下端は止着具２５８により側桁２５１から側柱Ｉまで共締めする。支柱２６５の下端の座板２６６は床板２５０上にあるとともに溶接により下向きに突出したメネジ付きナット２６７が床板２５０に明けられた通孔を通るようにされる。そして、ナット２６７を介してオネジ棒などのアンカーＡをねじ込んで床下地盤中に深く（２乃至３ｍ程度）強力にねじ込む。打ち込んでもよい。２６８はナットである。左右の支柱２６５は相互連結してもよい。斜行材２５６は無しにすることもできる。
【００４４】
図３３の実施形態は、支柱２７０を高いものとして側桁に止着具２５８…で連結し、その下端の座板２７１をナット２７２を介してアンカーＡをねじ込むとともに左右の支柱２７０同士をアングルでなる上部連結材２７３で長さ調節自在に連結固定したものである。斜行材２７４などを追加してもよい。尚、２７５はねじ込みに伴う盛り上がり土である。
【００４５】
図３４の実施形態は、下段から折れ回り部分を介して上段までに到る間の上部空間を利用して耐震補強装置を施したものである。同装置は、矢印Ｌで側面形状を示すように、Ｌ形に大きく曲げられその縦向き一辺を第１取付片２８０とし水平な他辺を連結片２８１とするとともに連結片２８１の一端に上向きの第２取付片２８２を備えた金属あるいは木質などの第１耐震補強材２８３を備える。同補強材２８３は、第１取付片２８０は側柱ＩＩに止着具にて固定されて立ち上がるようにされるとともに第２取付片２８２は中央の側柱ＩＩＩに止着具２５８で固定する。この第１耐震補強材２８３に仮想線で示す第２耐震補強材２８５を掛け合わせてもよく、第２耐震補強材２８５は、水平な部分の端部に取付片２８６を有して側柱ＩＩ，ＩＶ間に架設されるとともに第１耐震補強材２８３に連結されるもので同補強材２８５のみで構成してもよい。
【００４６】
２８８はコの字枠状にした第３耐震補強材で、側柱Ｉ〜Ｖに亘るように固定される。同補強材２８８は上下２段あるいはさらに多くの段数にしてもよい一方１段でもよいものである。同補強材２８８は、２つの部材ａ，ｂからなり、これらを矢印Ｎのように側柱ＩＩＩに固定した受け金具２８９において固定するとともに長かすがい２９０…やアンカーボルト２９１のようなもので側柱Ｉ，ＩＩ，ＩＶ，Ｖへ固定する。コーナーの側柱ＩＩＩへは、矢印Ｍのようにコーナー受け金具２９２を介して固定するとともに強スクリュウねじ２９３やアンカーボルトなどで強力に固定する。部材ａ，ｂは矢印Ｐのように上下に段違いにしてその中央をコの字形の長かすがい２９４やアンカーボルトなどで側柱ＩＩＩへ同時固定するようにしてもよい。図３４の各実施形態は、独自にあるいは図３１から図３３，図３５の実施形態と適宜に組み合わせて実施してもよい。また、各耐震補強材はカバーリングで隠してもよい。
【００４７】
図３５は階段の本体部分と側柱Ｉ〜Ｖ間を帯板状で折れ曲がり状の連結片２９５…の複数枚で連結固定したものを示す。連結片２９５全体にもカバーリングを施しても良い。仮想線のように支柱２９６とアンカーＡで床下地盤との連係をとってもよい。
【００４８】
【発明の効果】
この発明は以上のようであるので、より簡略で確実に機能する耐震装置を提供することができる。
【図面の簡単な説明】
【図１】この発明の耐震装置の一実施形態を示す斜視図。
【図２】他の耐震装置を示す斜視図。
【図３】他の耐震装置を示す斜視図。
【図４】アンカーの一方式を示す斜視図。
【図５】アンカーの他の方式の取付要領を示す斜視図。
【図６】他のアンカー例を示す分解斜視図。
【図７】他のアンカー例を示す斜視図。
【図８】他のアンカー例を示す斜視図。
【図９】他のアンカー例を示す分解斜視図。
【図１０】耐震装置の他の例を示す斜視図。
【図１１】耐震装置の他の例を示す平面図。
【図１２】耐震装置の他の例を示す平面図。
【図１３】アンカーの他の例を示す横断面図。
【図１４】アンカーの他の例を示す横断面図。
【図１５】アンカーの他の例を示す斜視図。
【図１６】耐震装置の他の例を示す縦断面図。
【図１７】図１６の横断面図。
【図１８】アンカーの他の例を示す縦断面図。
【図１９】図１８の右方向矢視図。
【図２０】アンカーの他の例を示す分解斜視図。
【図２１】アンカーの他の例を示す斜視図。
【図２２】アンカーの他の例を示す斜視図。
【図２３】アンカーの他の例を示す斜視図。
【図２４】図２３の組み付け後の縦断面図。
【図２５】アンカーの他の例を示す縦断面図。
【図２６】アンカーの他の例を示す縦断面図。
【図２７】床下切除方式の一例を示す縦断面図。
【図２８】コーナー以外での耐震装置の一例を示す斜視図。
【図２９】吸盤式緩衝手段の一例を示す分解側面図。
【図３０】重量物投入方式の他の例を示す斜視図。
【図３１】階段と側柱に耐震補強施工をした実施形態を示す斜視図。
【図３２】アンカーで側柱を補強施工した実施形態を示す斜視図。
【図３３】アンカーで側柱および階段を補強施工した実施形態を示す斜視図。
【図３４】側柱相互の耐震補強施工例を示す斜視図。
【図３５】連結片で階段および側柱を耐震補強した例を示す斜視図。
【符号の説明】
１…基礎  ２…柱  ８…外壁  １０…躯体受材  １６…緩衝手段  １８…連結材  ３０…床下換気口  Ａ…アンカー。
【図１】
2004211520.tif 000003
【図２】
2004211520.tif 000004
【図３】
2004211520.tif 000005
【図４】
2004211520.tif 000006
【図５】
2004211520.tif 000007
【図６】
2004211520.tif 000008
【図７】
2004211520.tif 000009
【図８】
2004211520.tif 000010
【図９】
2004211520.tif 000011
【図１０】
2004211520.tif 000012
【図１１】
2004211520.tif 000013
【図１２】
2004211520.tif 000014
【図１３】
2004211520.tif 000015
【図１４】
2004211520.tif 000016
【図１５】
2004211520.tif 000017
【図１６】
2004211520.tif 000018
【図１７】
2004211520.tif 000019
【図１８】
2004211520.tif 000020
【図１９】
2004211520.tif 000021
【図２０】
2004211520.tif 000022
【図２１】
2004211520.tif 000023
【図２２】
2004211520.tif 000024
【図２３】
2004211520.tif 000025
【図２４】
2004211520.tif 000026
【図２５】
2004211520.tif 000027
【図２６】
2004211520.tif 000028
【図２７】
2004211520.tif 000029
【図２８】
2004211520.tif 000030
【図２９】
2004211520.tif 000031
【図３０】
2004211520.tif 000032
【図３１】
2004211520.tif 000033
【図３２】
2004211520.tif 000034
【図３３】
2004211520.tif 000035
【図３４】
2004211520.tif 000036
【図３５】
2004211520.tif 000037